(57)【要約】  本開示は、第１の通信ネットワーク中のＵＥのためのＰＤＵセッションプロシージャを促進するための第１のノードにおける方法であって、第１の通信ネットワークが、第２の通信ネットワークとインターワーキングしており、インターワーキングをサポートする第２のノードが、ＰＤＵセッションを管理するために選択され、本方法は、ＰＤＵセッションが第２のネットワークとのインターワーキングをサポートするかどうかを示す指示を決定することと、指示を第２のノードに送ることとを含む、方法を提案する。本方法の様々な態様および実施形態によれば、リソースの割振りが改善され得、展開が簡略化され得る。【選択図】図２
2021510941.tif 000002
【特許請求の範囲】
【請求項１】
第１の通信ネットワーク中のユーザ機器（ＵＥ）のためのプロトコルデータユニット（ＰＤＵ）セッションプロシージャを促進するための第１のノードにおける方法であって、前記第１の通信ネットワークが、第２の通信ネットワークとインターワーキングしており、前記インターワーキングをサポートする第２のノードが、前記ＰＤＵセッションを管理するために選択されており、
前記ＰＤＵセッションが前記第２のネットワークとのインターワーキングをサポートするかどうかを示す指示を決定することと、
前記指示を前記第２のノードに送ることと
を含む方法。
【請求項２】
前記ＰＤＵセッションが前記第２のネットワークとのインターワーキングをサポートするかどうかは、前記ＰＤＵセッションが前記第２のネットワークに移動され得るかどうかを含む、請求項１に記載の方法。
【請求項３】
前記決定することが、ネットワーク設定に基づく、請求項１または２に記載の方法。
【請求項４】
前記決定することが、前記ＵＥの能力および／または前記ＵＥのサブスクリプションデータにさらに基づく、請求項１から３のいずれか一項に記載の方法。
【請求項５】
ＵＥの能力が、前記ＵＥのコアネットワーク能力情報を含み、前記ＵＥの前記サブスクリプションデータが、前記第２の通信ネットワークに対するコアネットワークタイプ制限を含む、請求項４に記載の方法。
【請求項６】
ＵＥの能力の値が、Ｓ１モードサポートまたはＮ１モードサポートを含む、請求項４または５に記載の方法。
【請求項７】
前記ＵＥの前記サブスクリプションデータの値が、ＥＰＣもしくは５ＧＣを含み、または前記値が存在しない、請求項４から６のいずれか一項に記載の方法。
【請求項８】
前記ＰＤＵセッションプロシージャが、ＰＤＵセッション確立である、請求項１から７のいずれか一項に記載の方法。
【請求項９】
前記第２のネットワーク中の前記ＰＤＵセッションのためのリソースを割り振るための要求を前記第２のノードから受信することをさらに含む、請求項１から８のいずれか一項に記載の方法。
【請求項１０】
前記指示が、前記ＰＤＵセッションが前記第２のネットワークとのインターワーキングをサポートしないことを示すとき、前記第２のネットワーク中の前記ＰＤＵセッションのためのリソースを前記第２のノードに割り振るための前記要求を拒否するための応答を送ることをさらに含む、請求項１から９のいずれか一項に記載の方法。
【請求項１１】
前記第１の通信ネットワークが第５世代システム（５ＧＳ）ネットワークであり、前記第２の通信ネットワークがエボルブドパケットシステム（ＥＰＳ）ネットワークであり、前記第１のノードが、アクセスおよびモビリティ管理機能（ＡＭＦ）であり、前記第２のノードが、パケットデータネットワークゲートウェイ制御プレーン機能＋セッション管理機能（ＰＧＷ−Ｃ＋ＳＭＦ）である、請求項１から１０のいずれか一項に記載の方法。
【請求項１２】
前記リソースが、ＥＰＳベアラ識別情報（ＩＤ）を含む、請求項１１に記載の方法。
【請求項１３】
前記ＰＤＵセッションが、前記第２のネットワークとのインターワーキングをサポートするとき、前記指示は、前記５ＧＳネットワークと前記ＥＰＳネットワークとの間のＮ２６インターフェースが前記ＰＤＵセッションの前記インターワーキングのために使用されるべきであるかどうかをさらに示す、請求項１１または１２に記載の方法。
【請求項１４】
前記Ｎ２６インターフェースが前記ＰＤＵセッションの前記インターワーキングのために使用されるべきでないとき、前記ＰＧＷ−Ｃ＋ＳＭＦから、前記ＰＤＵセッションのための前記ＥＰＳネットワーク中のベアラの識別情報を割り振るための要求を拒否するための応答を送ることをさらに含む、請求項１３に記載の方法。
【請求項１５】
第１の通信ネットワーク中のＵＥのためのＰＤＵセッションプロシージャを促進するための第１のノード（７００）であって、前記第１の通信ネットワークが、第２の通信ネットワークとインターワーキングしており、前記インターワーキングをサポートする第２のノードが、前記ＰＤＵセッションを管理するために選択され、前記第１のノードは、
プロセッサ（７０１）と、
前記プロセッサによって実行されたとき、前記第１のノードに、
前記ＰＤＵセッションが前記第２のネットワークとのインターワーキングをサポートするかどうかを示す指示を決定することと、
前記指示を前記第２のノードに送ることと
を行わせる命令を記憶した、メモリ（７０２）と
を備える、第１のノード。
【請求項１６】
前記命令が、前記プロセッサによって実行されたとき、前記第１のノードに、請求項２から１４のいずれか一項に記載の方法を実行させる、請求項１５に記載の第１のノード。
【請求項１７】
第１のノード上で実行されたとき、前記第１のノードに、請求項１から１４のいずれか一項に記載の方法を実行させる命令を記憶した、機械可読媒体。
【請求項１８】
第１の通信ネットワーク中のＵＥのためのＰＤＵセッションプロシージャを促進するための第２のノードにおける方法（３００）であって、前記第１の通信ネットワークが、第２の通信ネットワークとインターワーキングしており、前記第２のノードが、前記インターワーキングをサポートしており、前記ＰＤＵセッションを管理するために選択されており、
前記ＰＤＵセッションが第２のネットワークとのインターワーキングをサポートするかどうかを示す指示を第１のノードから受信することと、
前記指示に従って、前記ＰＤＵセッションが前記第２のネットワークとのインターワーキングをサポートするかどうかを決定することと
を含む方法。
【請求項１９】
前記ＰＤＵセッションが前記第２のネットワークとのインターワーキングをサポートするかどうかは、前記ＰＤＵセッションが前記第２のネットワークに移動され得るかどうかを含む、請求項１８に記載の方法。
【請求項２０】
前記ＰＤＵセッションプロシージャが、ＰＤＵセッション確立である、請求項１８または１９に記載の方法。
【請求項２１】
前記第１のノードに、前記第２のネットワーク中の前記ＰＤＵセッションのためのリソースを割り振るための要求を送ることをさらに含む、請求項１８から２０のいずれか一項に記載の方法。
【請求項２２】
前記指示が、前記ＰＤＵセッションが前記第２のネットワークとのインターワーキングをサポートしないことを示すとき、前記第２のネットワーク中の前記ＰＤＵセッションのためのリソースを割り振るための前記要求を拒否するための応答を前記第１のノードから受信することをさらに含む、請求項１８から２１のいずれか一項に記載の方法。
【請求項２３】
前記ＰＤＵセッションが前記第２のネットワークとのインターワーキングをサポートしないと決定したとき、前記第２のネットワーク中の前記ＰＤＵセッションのためのリソースを割り振るための準備をスキップすることをさらに含む、請求項１８から２１のいずれか一項に記載の方法。
【請求項２４】
前記第１の通信ネットワークが５ＧＳネットワークであり、前記第２の通信ネットワークがＥＰＳネットワークであり、前記第１のノードがＡＭＦであり、前記第２のノードがＰＧＷ−Ｃ＋ＳＭＦである、請求項１８から２３のいずれか一項に記載の方法。
【請求項２５】
前記リソースが、ＥＰＳベアラ識別情報（ＩＤ）を含む、請求項２４に記載の方法。
【請求項２６】
前記ＰＤＵセッションが前記第２のネットワークとのインターワーキングをサポートするとき、前記指示は、前記５ＧＳネットワークと前記ＥＰＳネットワークとの間のＮ２６インターフェースが前記ＰＤＵセッションの前記インターワーキングのために使用されるべきであるかどうかをさらに示す、請求項２４または２５に記載の方法。
【請求項２７】
前記指示が、前記Ｎ２６インターフェースが前記ＰＤＵセッションの前記インターワーキングのために使用されるべきであることを示すとき、前記ＰＤＵセッションのための前記ＥＰＳネットワーク中のベアラの識別情報を割り振るための要求を前記ＡＭＦに送ることをさらに含む、請求項２６に記載の方法。
【請求項２８】
前記指示が、前記Ｎ２６インターフェースが前記ＰＤＵセッションの前記インターワーキングのために使用されるべきでないことを示すとき、第３のノード中の前記ＰＤＵセッションの情報を記憶することをさらに含む、請求項２６または２７に記載の方法。
【請求項２９】
第１の通信ネットワーク中のＵＥのためのＰＤＵセッションプロシージャを促進するための第２のノード（８００）であって、前記第１の通信ネットワークが、第２の通信ネットワークとインターワーキングしており、前記第２のノードが、前記インターワーキングをサポートしており、前記ＰＤＵセッションを管理するために選択され、前記第２のノードは、
プロセッサ（８０１）と、
前記プロセッサによって実行されたとき、前記第２のノードに、
前記ＰＤＵセッションが前記第２のネットワークとのインターワーキングをサポートするかどうかを示す指示を第１のノードから受信することと、
前記指示に従って、前記ＰＤＵセッションが前記第２のネットワークとのインターワーキングをサポートするかどうかを決定することと
を行わせる命令を記憶した、メモリ（８０２）と
を備える、第２のノード。
【請求項３０】
前記命令が、前記プロセッサによって実行されたとき、前記第２のノードに、請求項１９から２８のいずれか一項に記載の方法を実行させる、請求項２９に記載の第２のノード。
【請求項３１】
第２のノード上で実行されたとき、前記第２のノードに、請求項１８から２８のいずれか一項に記載の方法を実行させる命令を記憶した、機械可読媒体。
【発明の詳細な説明】
【技術分野】
【０００１】
本開示の非限定的で例示的な実施形態は、一般に、通信ネットワークの技術分野に関し、詳細には、第１の通信ネットワークが第２の通信ネットワークとインターワーキングしている、第１の通信ネットワーク中のユーザ機器（ＵＥ）のためのプロトコルデータユニット（ＰＤＵ）セッションプロシージャを促進するための方法およびノードに関する。
【背景技術】
【０００２】
このセクションは、本開示のより良い理解を促進し得る態様を紹介する。したがって、このセクションの陳述は、この観点において読まれるべきであり、従来技術にあるもの、または従来技術にないものについての自認として理解されるべきでない。
【０００３】
今日、人々および／またはデバイスの通信の需要を満たす多くの種類の通信ネットワークがある。場合によっては、２つまたはそれ以上の異なるネットワークが互いと共存し、インターワーキングし、通信のためにより大きいカバレッジを与えるために協働する。たとえば、通信システムの漸進的発展により、場合によっては、次世代通信ネットワーク、たとえば、第５世代システム（５ＧＳ）ネットワークが、現世代通信ネットワーク、たとえば、エボルブドパケットシステム（ＥＰＳ）ネットワークと共存し、インターワーキングすることが想定され得る。
【０００４】
図１は、５ＧＳとＥＰＣ（エボルブドパケットコア、ＥＰＳネットワークのコアネットワーク）／Ｅ−ＵＴＲＡＮ（エボルブドＵＭＴＳ地上波無線アクセスネットワーク）との間のインターワーキングのための非ローミングアーキテクチャを示す。図において、ノードＰＣＦ＋ＰＣＲＦ（ポリシー制御機能＋ポリシーおよび課金ルール機能）、ＰＧＷ−Ｃ＋ＳＭＦ（パケットデータネットワークゲートウェイ制御プレーン機能＋セッション管理機能）およびＵＰＦ＋ＰＧＷ−Ｕ（ユーザプレーン機能＋パケットデータネットワークゲートウェイユーザプレーン機能）は、随意である、５ＧＳとＥＰＣとの間のインターワーキングをサポートしている。５ＧＳとＥＰＣとのインターワーキングを受けないＵＥは、インターワーキングをサポートしないエンティティによって、すなわち、ＰＧＷ／ＰＣＲＦまたはＳＭＦ／ＵＰＦ／ＰＣＦのいずれかによってサーブされ得る。また、５ＧＳとＥＰＣ／Ｅ−ＵＴＲＡＮとの間のインターワーキングのためのローミングアーキテクチャ（図示されていない）では、インターワーキングをサポートするノードＰＣＦ＋ＰＣＲＦ、ＰＧＷ−Ｃ＋ＳＭＦおよびＵＰＦ＋ＰＧＷ−Ｕが存在し得る。
【０００５】
異なるネットワーク間のインターワーキングは、あるネットワーク中のＵＥが別のネットワークに接続することができることを可能にする。しかしながら、ネットワーク能力および／またはＵＥのネットワーク制限、たとえば、関係するハードウェアおよび／またはソフトウェアサポートの欠如、関係するアカウントにおける資金の欠如など、いくつかの理由により、第１のネットワーク中のＵＥが、第１のネットワークがインターワーキングしている第２のネットワークに接続しないことがあることも想定され得る。
【０００６】
たとえば、５ＧＳネットワークでは、ＵＥのコアネットワーク能力はＭＭ（モビリティ管理）コアネットワーク能力情報要素（ＩＥ）中で示される。コアネットワーク能力情報要素（ＩＥ）は、たとえば２つの値を有し得、一方の値は、５ＧコアネットワークにアクセスするＵＥのモードがサポートされることを示す「Ｎ１モードサポート」であり得、他方の値は、ＥＰＣコアネットワークにアクセスするＵＥのモードがサポートされることを示す「Ｓ１モードサポート」であり得る。ＡＭＦ（アクセスおよびモビリティ管理機能）中に記憶されたＵＥ  ＭＭコアネットワーク能力情報が最新であることを保証するために（たとえば、ＵＳＩＭ（ユニバーサル加入者識別情報モジュール）がカバレッジ外の間に異なるデバイス中に移動され、古いデバイスが分離メッセージを送らなかったときの状況、およびＲＡＴ間登録エリア更新のケースを処理するために）、ＵＥはＮＡＳ（非アクセス層）メッセージ内の初期登録およびモビリティ登録更新プロシージャ中にＵＥ  ＭＭコアネットワーク能力情報をＡＭＦに送る。ＡＭＦは、常に、ＵＥから受信した最新のＵＥ  ＭＭコアネットワーク能力を記憶する。ＵＥがＵＥ  ＭＭコアネットワーク能力に登録シグナリングを与えるとき、ＡＭＦが古いＡＭＦ／ＭＭＥから受信したＵＥ  ＭＭコアネットワーク能力は交換される。ＵＥのＭＭコアネットワーク能力情報が（ＣＭ−ＣＯＮＮＥＣＴＥＤ状態またはＣＭ−ＩＤＬＥ状態のいずれかにおいて）変化した場合、ＵＥは、ＵＥが次にＮＧ−ＲＡＮ（次世代無線アクセスネットワーク）カバレッジに戻るとき、登録更新（「周期」と異なる「タイプ」）を実行する。
【０００７】
また、５ＧＳネットワークにおけるＵＥはいくつかのモビリティ制限を受ける。モビリティ制限はＵＥのモビリティ処理またはサービスアクセスを制限する。モビリティ制限機能は、ＵＥ（ＵＥに与えられるモビリティ制限カテゴリーのためにのみ）と、無線アクセスネットワークと、コアネットワークとによって与えられる。ＣＭ−ＣＯＮＮＥＣＴＥＤ状態では、コアネットワークがハンドオーバ制限リスト（ＨＲＬ）内の無線アクセスネットワークにモビリティ制限を与える。モビリティ制限は、ＲＡＴ制限と、禁止エリアと、サービスエリア制限と、コアネットワークタイプ制限とからなり、コアネットワークタイプ制限は、ＵＥがコアネットワークに接続することが許可されないかどうかを定義する。たとえば、５ＧＳネットワークにおけるコアネットワークタイプ制限パラメータは、たとえば２つの値を有し得、一方の値は、ＵＥが５ＧＳネットワークのコアネットワークに接続することが許可されないことを示す「５ＧＣ」であり得、他方の値は、ＵＥがＥＰＳネットワークのコアネットワークに接続することが許可されないことを示す「ＥＰＣ」であり得る。ＵＥのコアネットワークタイプ制限パラメータはＵＥのサブスクリプションデータ中で見出され得る。ＵＥのサブスクリプションデータがコアネットワークタイプ制限パラメータを含まない場合、ＵＥは、たとえば、５ＧＳネットワークのコアネットワークとＥＰＳネットワークのコアネットワークの両方に接続することが許可され得る。
【発明の概要】
【０００８】
上述のネットワーク能力および／またはＵＥのネットワーク制限は、第１のネットワークと第２のネットワークとが互いとインターワーキングしていても、第１のネットワーク中のＵＥが第２のネットワークに接続しないことを引き起こし得る。このことは、ＵＥのためのＰＤＵセッションプロシージャについての問題を引き起こし得る。
【０００９】
本開示の発明者らは、第２の通信ネットワークとインターワーキングする第１の通信ネットワーク中のＵＥのためのＰＤＵセッションプロシージャのための現在の機構において、以下の問題が存在することを見出す。すなわち、インターワーキングをサポートするノードがＰＤＵセッションを管理するために選択された場合、ノードは、ＰＤＵセッションが第２のネットワークとのインターワーキングをサポートするかどうかにかかわらず、ＰＤＵセッションのためのリソースをブラインドで割り振る。たとえば、インターワーキングをサポートし、ＰＤＵセッションを管理するために選択されたノードは、たとえば、第２の通信ネットワークに接続する能力の欠如により、および／または第２の通信ネットワークに接続することの制限により、ＰＤＵセッションが第２のネットワークとのインターワーキングをサポートしないにもかかわらず、第２の通信ネットワーク中のＰＤＵセッションのためのリソースを割り振る。
【００１０】
上記の問題は、インターワーキングをサポートするノードが、第２のネットワークとのインターワーキングをサポートしないＰＤＵセッションを管理するために選択されたときに起こる。例として、５ＧＳネットワークの場合、ＥＰＳとのインターワーキングはＲｅｌ−１５において指定され、ＳＭＦは最初からＰＧＷ−Ｃ能力を有するべきである。ネットワーク中で展開されたすべてのＳＭＦはＰＧＷ−Ｃ能力を有する、すなわち、すべての展開されたＳＭＦはＰＧＷ−Ｃ＋ＳＭＦである可能性が極めて高い。この場合、スタンドアロンＳＭＦはＰＤＵセッションを管理するためには選択され得ない。展開においてスタンドアロンＳＭＦと、組み合わせられたＰＧＷ−Ｃ＋ＳＭＦの両方がある場合でも、ＰＤＵセッションを管理するためにＡＭＦがＳＭＦを選択するのを助け得るネットワークリポジトリ機能（ＮＲＦ）は、何らかの理由により（たとえば、ＮＲＦの簡単な設定により）スタンドアロンＳＭＦと組み合わせられたＰＧＷ−Ｃ＋ＳＭＦとを区別しないので、ＮＲＦは、ＰＤＵセッションが第２のネットワークとのインターワーキングをサポートするかどうかを考慮することなしに、選択を行い得る。この場合、ＰＧＷ−Ｃ＋ＳＭＦがＰＤＵセッションを管理するために選択され得る。
【００１１】
本開示の目的のうちの１つは、上記の問題を解決または緩和することである。
【００１２】
本開示の第１の態様によれば、目的は、第１の通信ネットワーク中のＵＥのためのＰＤＵセッションプロシージャを促進するための第１のノードにおける方法であって、第１の通信ネットワークが、第２の通信ネットワークとインターワーキングしており、インターワーキングをサポートする第２のノードが、ＰＤＵセッションを管理するために選択され、本方法は、ＰＤＵセッションが第２の通信ネットワークとのインターワーキングをサポートするかどうかを示す指示を決定することと、指示を第２のノードに送ることとを含む、方法によって達成される。
【００１３】
本開示の第２の態様によれば、目的は、第１の通信ネットワーク中のＵＥのためのＰＤＵセッションプロシージャを促進するための第１のノードであって、第１の通信ネットワークが、第２の通信ネットワークとインターワーキングしており、インターワーキングをサポートする第２のノードが、ＰＤＵセッションを管理するために選択され、第１のノードは、ＰＤＵセッションが第２の通信ネットワークとのインターワーキングをサポートするかどうかを示す指示を決定する決定ユニットと、指示を第２のノードに送る送信ユニットとを備える、第１のノードによって達成される。
【００１４】
本開示の第３の態様によれば、目的は、第１の通信ネットワーク中のＵＥのためのＰＤＵセッションプロシージャを促進するための第１のノードであって、第１の通信ネットワークが、第２の通信ネットワークとインターワーキングしており、インターワーキングをサポートする第２のノードが、ＰＤＵセッションを管理するために選択され、第１のノードは、プロセッサと、プロセッサによって実行されたとき、第１のノードにＰＤＵセッションが第２の通信ネットワークとのインターワーキングをサポートするかどうかを示す指示を決定することと、指示を第２のノードに送ることとを行わせる命令を記憶したメモリとを備える、第１のノードによって達成される。
【００１５】
本開示の第４の態様によれば、目的は、第１のノード上で実行されたとき、第１のノードに、第１の態様による方法を実行させる命令を記憶した機械可読媒体によって達成される。
【００１６】
本開示の第５の態様によれば、目的は、第１の通信ネットワーク中のＵＥのためのＰＤＵセッションプロシージャを促進するための第２のノードにおける方法であって、第１の通信ネットワークが、第２の通信ネットワークとインターワーキングしており、第２のノードが、インターワーキングをサポートしており、ＰＤＵセッションを管理するために選択され、本方法は、ＰＤＵセッションが第２の通信ネットワークとのインターワーキングをサポートするかどうかを示す指示を第１のノードから受信することと、指示に従って、ＰＤＵセッションが第２の通信ネットワークとのインターワーキングをサポートするかどうかを決定することとを含む、方法によって達成される。
【００１７】
本開示の第６の態様によれば、目的は、第１の通信ネットワーク中のＵＥのためのＰＤＵセッションプロシージャを促進するための第２のノードであって、第１の通信ネットワークが、第２の通信ネットワークとインターワーキングしており、第２のノードが、インターワーキングをサポートしており、ＰＤＵセッションを管理するために選択され、第２のノードは、ＰＤＵセッションが第２の通信ネットワークとのインターワーキングをサポートするかどうかを示す指示を第１のノードから受信する受信ユニットと、指示に従って、ＰＤＵセッションが第２の通信ネットワークとのインターワーキングをサポートするかどうかを決定する決定ユニットとを備える、第２のノードによって達成される。
【００１８】
本開示の第７の態様によれば、目的は、第１の通信ネットワーク中のＵＥのためのＰＤＵセッションプロシージャを促進するための第２のノードであって、第１の通信ネットワークが、第２の通信ネットワークとインターワーキングしており、第２のノードが、インターワーキングをサポートしており、ＰＤＵセッションを管理するために選択され、第２のノードは、プロセッサと、プロセッサによって実行されたとき、第２のノードに、ＰＤＵセッションが第２の通信ネットワークとのインターワーキングをサポートするかどうかを示す指示を第１のノードから受信することと、指示に従って、ＰＤＵセッションが第２の通信ネットワークとのインターワーキングをサポートするかどうかを決定することとを行わせる命令を記憶したメモリとを備える、第２のノードによって達成される。
【００１９】
本開示の第８の態様によれば、目的は、第２のノード上で実行されたとき、第２のノードに、第５の態様による方法を実行させる命令を記憶した機械可読媒体によって達成される。
【００２０】
本開示のソリューションは以下の利点のうちの少なくとも１つを有する。
ＰＤＵセッションが第２の通信ネットワークとのインターワーキングをサポートするかどうかを考慮することによって、別の通信ネットワークとインターワーキングする通信ネットワーク中のＵＥのためのＰＤＵセッションプロシージャのためのリソースの割振りを改善する。
指示に従ってＰＤＵセッションのために不要であるリソースの割振りを回避し、ＮＡＳを介してそれらのリソースを送ることを回避することによって、リソース利用効率を高める。
ＮＲＦ中の設定を簡単に保つとともに、展開を簡略化する。
【００２１】
本開示の上記および他の態様、特徴および利益は、同様の参照番号または文字が同様のまたは等価な要素を指定するために使用される、添付の図面を参照しながら行う以下の詳細な説明からより完全に明らかになろう。図面は、本開示の実施形態のより良い理解を促進するために示されており、必ずしも一定の縮尺で描かれているとは限らない。
【図面の簡単な説明】
【００２２】
【図１】５ＧＳとＥＰＣ／Ｅ−ＵＴＲＡＮとの間のインターワーキングのための非ローミングアーキテクチャを示す図である。
【図２】本開示による、第１のノードにおける方法のフローチャートを示す図である。
【図３】本開示による、第２のノードにおける方法のフローチャートを示す図である。
【図４】ローカルブレークアウトケースをもつ非ローミングおよびローミングのためのＵＥ要求ＰＤＵセッション確立を示す図である。
【図５】本開示による第１のノードの概略ブロック図である。
【図６】本開示による第２のノードの概略ブロック図である。
【図７】本開示による第１のノードの別の概略ブロック図である。
【図８】本開示による第２のノードの別の概略ブロック図である。
【発明を実施するための形態】
【００２３】
以下で、本明細書の実施形態について、添付の図面を参照しながら、より十分に説明する。しかしながら、本明細書の実施形態は、多くの異なる形式で実施され得、添付の特許請求の範囲を限定するものとして解釈されるべきでない。
【００２４】
本明細書で使用する用語は、特定の実施形態について説明することのみを目的とし、限定的なものではない。本明細書で使用する際、単数形「ａ」、「ａｎ」および「ｔｈｅ」は、コンテキストが別段に明示しない限り、複数形をも含むものとする。さらに、本明細書で使用するとき、「備える（comprises）」、「備える（comprising）」、「含む（includes）」および／または「含む（including）」という用語は、述べられた特徴、整数、ステップ、動作、要素、および／または構成要素の存在を指定するが、１つまたは複数の他の特徴、整数、ステップ、動作、要素、構成要素、および／またはこれらのグループの存在または追加を排除しないことが理解されよう。
【００２５】
また、本明細書で要素を修飾するための「第１の」、「第２の」、「第３の」などの序数用語の使用は、それ自体では１つの要素の別の要素に対する優先、先行、または順序、または方法の行為が実行される時間的順序を暗示せず、要素を区別するために、単にある名称を有する１つの要素を、（序数用語の使用がなければ）同じ名称を有する別の要素と区別するためのラベルとして使用される。
【００２６】
別段に定義されていない限り、本明細書で使用する（技術用語および科学用語を含む）すべての用語は、一般的に理解されるものと同じ意味を有する。さらに、本明細書で使用する用語は、本明細書および関連技術のコンテキストにおいてそれらの意味と一致する意味を有するとして解釈されるべきであり、本明細書で明確にそのように定義されていない限り、理想化されたまたは過度に形式的な意味において解釈されないことが理解されよう。
【００２７】
第１の通信ネットワーク中のＵＥのためのＰＤＵセッションプロシージャを促進するための第１のノードにおける方法２００のフローチャートが図２に示されており、第１の通信ネットワークが第２の通信ネットワークとインターワーキングしており、インターワーキングをサポートする第２のノードが、ＰＤＵセッションを管理するために選択され、本方法は以下のステップ、すなわち、ＰＤＵセッションが第２の通信ネットワークとのインターワーキングをサポートするかどうかを示す指示を決定するステップ２０１と、指示を第２のノードに送るステップ２０２とを含む。
【００２８】
第１の通信ネットワーク中のＵＥのためのＰＤＵセッションプロシージャを促進するための第２のノードにおける方法３００のフローチャートが図３に示されており、第１の通信ネットワークが第２の通信ネットワークとインターワーキングしており、第２のノードが、インターワーキングをサポートしており、ＰＤＵセッションを管理するために選択され、本方法は、ＰＤＵセッションが第２の通信ネットワークとのインターワーキングをサポートするかどうかを示す指示を第１のノードから受信するステップ３０１と、指示に従って、ＰＤＵセッションが第２の通信ネットワークとのインターワーキングをサポートするかどうかを決定するステップ３０２とを含む。
【００２９】
第１のノードおよび第２のノードの両方は、専用のハードウェア上のネットワーク要素として、ハードウェア上で動作するソフトウェアインスタンスまたはファームウェアとして、適切なプラットフォーム上で（たとえば、クラウドインフラストラクチャ上で）インスタンス化された仮想化された機能として、またはそれらの任意の組合せとして、実装され得る。
【００３０】
次に、さらなる実施形態について、ＥＰＳネットワークとインターワーキングしている５ＧＳネットワークにおける例示的なＵＥ要求ＰＤＵセッション確立とともに説明する。本明細書のさらなる実施形態は５ＧＳおよびＥＰＳネットワークのコンテキストにおいて説明されるが、実施形態は、ＰＤＵセッションプロシージャのためのそれらの機構において同じ問題が存在する場合、互いとインターワーキングする他の異なる電気通信ネットワークにおいて他のＰＤＵセッションプロシージャにも適用され得ることが理解され得る。また、実施形態では固有の用語が使用されるが、実施形態はそれらの固有の用語に限定されず、すべての同様のエンティティに適用され得ることが理解される。たとえば、本明細書の「ユーザ機器」／「ＵＥ」は、たとえば、ユーザ端末、局、端末、端末ノードなどを指し得る。
【００３１】
ＵＥ要求ＰＤＵセッション確立はＵＥのための共通のＰＤＵセッションプロシージャである。プロシージャは、新しいＰＤＵセッションを確立するか、Ｎ２６インターフェースなしにＥＰＳにおけるＰＤＮ接続を５ＧＳにおけるＰＤＵセッションにハンドオーバするか、非３ＧＰＰアクセスと３ＧＰＰアクセスとの間で既存のＰＤＵセッションを切り替えるか、または緊急サービスのためのＰＤＵセッションを要求するために使用される。
【００３２】
図４は、ローカルブレークアウトケースをもつ非ローミングおよびローミングのためのＵＥ要求ＰＤＵセッション確立を示す。図４中のステップ１において、ＵＥが、ＰＤＵセッション確立要求を含んでいるＮＡＳメッセージの送信によってＵＥ要求ＰＤＵセッション確立プロシージャを開始する。ＰＤＵセッション確立要求は、ＰＤＵセッションＩＤ、要求タイプ、要求ＳＳＣモードなど、必要な情報を含む。図４中のステップ２において、たとえばＡＭＦ上でローカルに設定された他の手段によってＳＭＦ情報が利用可能でない限り、ＡＭＦは、ＳＭＦインスタンスを発見するためにＮＲＦを利用し得る。ＮＲＦは、ＳＭＦインスタンスのＩＰアドレスまたはＦＱＤＮ（完全修飾ドメインネーム）あるいはＳＭＦサービスインスタンスのエンドポイントアドレスをＡＭＦに与える。ＡＭＦ中のＳＭＦ選択機能は、ＮＲＦからまたはＡＭＦ中の設定されたＳＭＦ情報上で取得された利用可能なＳＭＦインスタンスに基づいてＳＭＦインスタンスを選択する。図４中のステップ３において、ＡＭＦは、Ｎｓｍｆ＿ＰＤＵＳｅｓｓｉｏｎ＿ＣｒｅａｔｅＳＭＣｏｎｔｅｘｔ要求またはＮｓｍｆ＿ＰＤＵＳｅｓｓｉｏｎ＿ＵｐｄａｔｅＳＭＣｏｎｔｅｘｔ要求のいずれかをＳＭＦに送る。ＡＭＦが、ＵＥによって与えられたＰＤＵセッションＩＤのためのＳＭＦとの関連付けを有しない場合（たとえば、要求タイプが「初期要求」を示すとき）、ＡＭＦはＮｓｍｆ＿ＰＤＵＳｅｓｓｉｏｎ＿ＣｒｅａｔｅＳＭＣｏｎｔｅｘｔ要求を呼び出すが、ＡＭＦが、すでにＵＥによって与えられたＰＤＵセッションＩＤのためのＳＭＦとの関連付けを有する場合（たとえば、要求タイプが「既存のＰＤＵセッション」を示すとき）、ＡＭＦはＮｓｍｆ＿ＰＤＵＳｅｓｓｉｏｎ＿ＵｐｄａｔｅＳＭＣｏｎｔｅｘｔ要求を呼び出す。図４中のステップ９の後およびステップ１２の前に、選択されたＳＭＦがＰＧＷ−Ｃ＋ＳＭＦであり、ＰＧＷ−Ｃ＋ＳＭＦが、ＥＰＳベアラＩＤがＰＤＵセッション中のＱｏＳフローに割り当てられる必要があることを決した場合、ＰＧＷ−Ｃ＋ＳＭＦは、ＰＤＵセッションＩＤとＡＲＰリストとを含むＮａｍｆ＿Ｃｏｍｍｕｎｉｃａｔｉｏｎ＿ＥＢＩＡｓｓｉｇｎｍｅｎｔ要求をＡＭＦ（図４に示されていない）に呼び出す。ＡＲＰリストは、要求されたＥＢＩの数、および対応するＡＲＰを示す。ＡＭＦは、ＥＢＩ要求に優先度を付けるために（ＡＲＰ優先度レベル、プリエンプション能力およびプリエンプション脆弱性を含む）ＡＲＰリストおよび単一ネットワークスライス選択支援情報（Ｓ−ＮＳＳＡＩ）を使用し、ＡＭＦは、ＥＢＩの最大数に達し、より高い優先度をもつセッションがＥＢＩを要求する場合、進行中の低優先度ＰＤＵセッションからＥＢＩをリボークすることができる。ＡＭＦは、Ｎａｍｆ＿Ｃｏｍｍｕｎｉｃａｔｉｏｎ＿ＥＢＩＡｓｓｉｇｎｍｅｎｔ応答において割当てが成功したか否かを示す根拠でＰＧＷ−Ｃ＋ＳＭＦに応答する。割当てが成功した場合、ＡＭＦは＜ＡＲＰ、ＥＢＩ＞ペアのリストをコンシューマＮＦに与える。上述のステップと同様のステップはホームルーティングローミングシナリオ（図示されていない）のためのＵＥ要求ＰＤＵセッション確立においても行われる。
【００３３】
上記のプロシージャ中のＡＭＦおよび選択されたＰＧＷ−Ｃ＋ＳＭＦは、それぞれ本開示の第１のノードおよび第２のノードとして働くことができる。ＡＭＦは、ＰＤＵセッションのためのリソースの割振りが必要とされるかどうかを意味し得る、ＰＤＵセッションがＥＰＳネットワークとのインターワーキングをサポートするかどうかを示す、たとえば、ＰＤＵセッションがＥＰＳネットワークに移動され得るかどうかを示す指示を決定し、リソースを割り振らせるかまたは割り振らせないために指示をＰＧＷ−Ｃ＋ＳＭＦに送ることができる。特に、ＰＤＵセッションがＥＰＣネットワークとのインターワーキングをサポートしないと決定した場合、ＡＭＦは、ＰＤＵセッションのためのＥＰＳネットワークのリソース（たとえば、リソースは一実施形態ではＥＰＣネットワーク中のベアラのためのリソースである）が割り振られるべきでないことを決定する。他の場合、ＡＭＦは、ＰＤＵセッションのためのＥＰＳネットワークのリソースが割り振られ得ることを決定する。次いで、ＡＭＦは指示をＰＧＷ−Ｃ＋ＳＭＦに送り得る。ＰＧＷ−Ｃ＋ＳＭＦは、ＰＤＵセッションが、たとえば、相応してＰＤＵセッションのためのリソースを割り振るために、指示に従って、ＥＰＳネットワークとのインターワーキングをサポートするかどうかを決定し得る。
【００３４】
一実施形態では、ＰＤＵセッションが第２のネットワークとのインターワーキングをサポートしないと決定したとき、ＡＭＦは、ＰＤＵセッションがＥＰＳネットワークとのインターワーキングをサポートしないことを示す指示を、たとえば、Ｎｓｍｆ＿ＰＤＵＳｅｓｓｉｏｎ＿ＣｒｅａｔｅＳＭＣｏｎｔｅｘｔ要求においてＰＧＷ−Ｃ＋ＳＭＦに送り得る。ＰＧＷ−Ｃ＋ＳＭＦがそのような指示を受信したとき、ＰＧＷ−Ｃ＋ＳＭＦは、リソースの浪費を回避し、割振りの効率を改善するために、ＥＰＣネットワーク中のＰＤＵセッションのためのリソースを割り振るための準備をスキップするべきである。しかしながら、ＰＧＷ−Ｃ＋ＳＭＦが、指示を実現するためにアップグレードされていない場合、指示を受信したＰＧＷ−Ｃ＋ＳＭＦは、依然として、リソースを割り振ることに関する要求、たとえば、ＥＰＳネットワーク中のベアラのＩＤを割り振るようにＡＭＦに要求するためのＮａｍｆ＿Ｃｏｍｍｕｎｉｃａｔｉｏｎ＿ＥＢＩＡｓｓｉｇｎｍｅｎｔ要求をＡＭＦに送り得る。この場合、ＡＭＦは、応答において、たとえば、Ｎａｍｆ＿Ｃｏｍｍｕｎｉｃａｔｉｏｎ＿ＥＢＩＡｓｓｉｇｎｍｅｎｔ要求において、たとえば新しい失敗の原因（「ＥＰＳインターワーキング非サポート」または同様の何か）を戻すことによって、ＰＧＷ−Ｃ＋ＳＭＦからの要求を拒否することができる。次いで、ＰＧＷ−Ｃ＋ＳＭＦはリソースの割振りのための準備作業をスキップする、たとえばＥＰＳベアラへのマッピングは実行されない。別の実施形態では、ＡＭＦは、ＵＥはＥＰＣネットワークに接続しないという指示をＰＧＷ−Ｃ＋ＳＭＦにあらかじめ送ることなしに、ただＰＧＷ−Ｃ＋ＳＭＦからの要求を拒否し得る。
【００３５】
一実施形態では、ＰＤＵセッションが第２のネットワークとのインターワーキングをサポートすることを決定したとき、ＡＭＦは、ＰＤＵセッションがＥＰＳネットワークとのインターワーキングをサポートすることを示す指示を、たとえば、Ｎｓｍｆ＿ＰＤＵＳｅｓｓｉｏｎ＿ＣｒｅａｔｅＳＭＣｏｎｔｅｘｔ要求において、ＰＧＷ−Ｃ＋ＳＭＦに送り得る。一実施形態では、ＰＤＵセッションがＥＰＳネットワークとのインターワーキングをサポートするとき、ＡＭＦからの指示はさらに、５ＧＳネットワークとＥＰＳネットワークとの間のＮ２６インターフェースがＰＤＵセッションのインターワーキングのために使用されるべきであるかどうかを示す。ＰＧＷ−Ｃ＋ＳＭＦがそのような指示を受信したとき、ＰＧＷ−Ｃ＋ＳＭＦはＥＰＣネットワーク中のＰＤＵセッションのためのリソースを割り振り得る。たとえば、ＰＧＷ−Ｃ＋ＳＭＦは、ＥＰＳネットワーク中のＰＤＵセッションのためのリソースを割り振るための要求をＡＭＦに送り得る。一実施形態では、ＰＧＷ−Ｃ＋ＳＭＦは、指示が、Ｎ２６インターフェースがＰＤＵセッションのインターワーキングのために使用されるべきであることを示すとき、ＰＤＵセッションのためのＥＰＳネットワーク中のベアラの識別情報を割り振るための要求をＡＭＦに送り得る。別の実施形態では、指示が、Ｎ２６インターフェースがＰＤＵセッションのインターワーキングのために使用されるべきでないことを示すとき、ＰＤＵセッションのためのＥＰＳネットワーク中のベアラの識別情報を割り振るための要求をＡＭＦに送ることなしに、ＰＧＷ−Ｃ＋ＳＭＦは第３のノード中の（たとえば、統一データ管理（ＵＤＭ）中の）ＰＤＵセッションの情報を記憶し得る。一実施形態では、Ｎ２６インターフェースがＰＤＵセッションのインターワーキングのために使用されるべきでないとき、ＡＭＦが、ＰＤＵセッションのためのＥＰＳネットワーク中のベアラの識別情報を割り振るための要求をＰＧＷ−Ｃ＋ＳＭＦから受信した場合、ＡＭＦは、要求を拒否するための応答をＰＧＷ−Ｃ＋ＳＭＦに送るべきである。
【００３６】
指示はＡＭＦによって様々な方法で決定され得、たとえば、ＡＭＦは、それ自体で、または別のノードから情報を取得することによって指示を決定する。一実施形態では、ＰＤＵセッションがＥＰＳネットワークとのインターワーキングをサポートするか否かは、ＥＰＳネットワークに接続するための制限を示し得る、ＵＥの能力および／またはＵＥのサブスクリプションデータに基づいて決定される。一実施形態では、ＰＤＵセッションがＥＰＳネットワークとのインターワーキングをサポートするか否かは、さらに、ネットワーク設定に基づいて決定され得る。一実施形態では、ＵＥの能力は、ＵＥのネットワーク能力情報、たとえば、ＵＥのＭＭコアネットワーク能力情報を含み得る。一実施形態では、ＵＥのサブスクリプションデータは、たとえば、ＵＥのコアネットワークタイプ制限パラメータを含み得る。たとえば、ＵＥのＭＭコアネットワーク能力ＩＥが「Ｓ１モードサポート」を示し、ＵＥのコアネットワークタイプ制限パラメータの値が「ＥＰＣ」でない（またはコアネットワークタイプ制限パラメータがまったく存在しない）場合、ＰＤＵセッションがＥＰＳネットワークとのインターワーキングをサポートすることが決定され得、他の場合、ＰＤＵセッションはＥＰＳネットワークとのインターワーキングをサポートしない。
【００３７】
図５は、本開示による第１のノード５００の概略ブロック図を示す。第１のノード５００（たとえば、ＡＭＦ）は、第１の通信ネットワーク（たとえば、５ＧＳネットワーク）中のＵＥのためのＰＤＵセッションプロシージャを促進し得、第１の通信ネットワークが第２の通信ネットワーク（たとえば、ＥＰＳネットワーク）とインターワーキングしており、インターワーキングをサポートする第２のノード（たとえば、ＰＧＷ−Ｃ＋ＳＭＦ）が、ＰＤＵセッションを管理するために選択される。第１のノード５００は、ＰＤＵセッションが第２のネットワークとのインターワーキングをサポートすることを決定するための決定ユニット５０１と、指示を第２のノードに送るための送信ユニット５０２とを含み得る。
【００３８】
図６は、本開示による第２のノード６００の概略ブロック図を示す。第２のノード６００（たとえば、ＰＧＷ−Ｃ＋ＳＭＦ）は、第１の通信ネットワーク（たとえば、５ＧＳネットワーク）中のＵＥのためのＰＤＵセッションプロシージャを促進し得、第１の通信ネットワークが第２の通信ネットワーク（たとえば、ＥＰＳネットワーク）とインターワーキングしており、第２のノードが、インターワーキングをサポートしており、ＰＤＵセッションを管理するために選択されている。第２のノード６００は、ＰＤＵセッションが第２のネットワークとのインターワーキングをサポートするかどうかを示す指示を第１のノードから受信するための受信ユニット６０１と、指示に従って、ＰＤＵセッションが第２のネットワークとのインターワーキングをサポートするかどうかを決定するための決定ユニット６０２とを含み得る。
【００３９】
本明細書で説明する第１のノード５００および第２のノード６００は、実施形態とともに説明される１つまたは複数の機能を実装する第１のノード５００および第２のノード６００の各々が、対応する図に示されたユニットだけでなく、それの１つまたは複数の機能を実装するための他のユニットをも備え得るように、様々なユニットによって実装され得ることが諒解され得る。さらに、第１のノード５００および第２のノード６００の各々は、２つまたはそれ以上の機能を実行するように設定された単一のユニット、または各別個の機能のための別個のユニットを備え得る。その上、ユニットはハードウェア、ファームウェア、ソフトウェア、またはそれらの任意の組合せにおいて実装され得る。
【００４０】
ブロック図のブロックおよび／またはフローチャート図、およびブロック図および／またはフローチャート図中のブロックの組合せは、コンピュータプログラム命令によって実装され得ることを理解されたい。これらのコンピュータプログラム命令は、コンピュータおよび／または他のプログラマブルデータ処理装置のプロセッサを介して実行する命令が、ブロック図および／またはフローチャートのブロックまたは複数のブロック中で指定された機能／行為を実装するための手段を作成するように、汎用コンピュータ、専用コンピュータ、および／または機械を製造するための他のプログラマブルデータ処理装置のプロセッサに与えられ得る。
【００４１】
さらに、本開示のソリューションは、命令実行システムによって使用するための、または命令実行システムとともに使用するために媒体中で実施されたコンピュータ使用可能またはコンピュータ可読プログラムコードを有するメモリ上のコンピュータプログラムの形態をとり得る。この文書のコンテキストでは、メモリは、命令実行システム、装置、またはデバイスによって使用するために、あるいは命令実行システム、装置、またはデバイスとともに使用するためにプログラムを含み得るか、記憶し得るか、または通信するように適応された、任意の媒体であり得る。
【００４２】
したがって、本開示はまた、図７に示されているように、プロセッサ７０１とメモリ７０２とを含む第１のノード７００を提供する。第１のノード７００において、メモリ７０２は、プロセッサ７０１によって実行されたとき、実施形態とともに上記で説明した第１のノードにおける方法を第１のノード７００に実行させる命令を記憶する。本開示はまた、図８に示されているように、プロセッサ８０１とメモリ８０２とを含む第２のノード８００を提供する。第２のノード８００において、メモリ８０２は、プロセッサ８０１によって実行されたとき、実施形態とともに上記で説明した第２のノードにおける方法を第２のノード８００に実行させる命令を記憶する。
【００４３】
本開示はまた、第１のノード上で実行されたとき、上記実施形態とともに説明した第１のノードにおける方法を第１のノードに実行させる命令を記憶した機械可読媒体（図示されていない）を提供する。本開示はまた、第２のノード上で実行されたとき、上記実施形態とともに説明した第２のノードにおける方法を第２のノードに実行させる命令を記憶した機械可読媒体（図示されていない）を提供する。
【００４４】
本明細書は多くの固有の実装詳細を含んでいるが、これらは、実装の範囲またはクレームされ得ることに関する限定としてではなく、特定の実装の特定の実施形態に固有であり得る特徴の説明として解釈されるべきである。別個の実施形態のコンテキストにおいて本明細書で説明されるいくつかの特徴はまた、単一の実施形態において組み合わせて実装され得る。反対に、単一の実施形態のコンテキストにおいて説明される様々な特徴はまた、複数の実施形態において別個に、または任意の好適なサブコンビネーションにおいて実装され得る。その上、特徴は、いくつかの組合せにおいて作用するものとして、さらには最初にそのようにクレームされているものとして上記で説明され得るが、クレームされた組合せからの１つまたは複数の特徴は、場合によっては組合せから削除され得、クレームされた組合せはサブコンビネーションまたはサブコンビネーションの変形に向けられ得る。
【００４５】
技術が進歩するにつれて、発明的概念が様々な方法で実装され得ることは、当業者にとって明らかであろう。上記で説明した実施形態は、本開示を限定するのではなく説明するために与えられ、当業者が容易に理解するように、本開示の趣旨および範囲から逸脱することなく変更および変形が行われ得ることを理解されたい。そのような変更および変形は本開示の範囲および添付の特許請求の範囲の範囲内に入ると考えられる。本開示の保護範囲は添付の特許請求の範囲によって定義される。
【図１】
2021510941.tif 000003
【図２】
2021510941.tif 000004
【図３】
2021510941.tif 000005
【図４】
2021510941.tif 000006
【図５】
2021510941.tif 000007
【図６】
2021510941.tif 000008
【図７】
2021510941.tif 000009
【図８】
2021510941.tif 000010
【国際調査報告】
2021510941.tif 000011
2021510941.tif 000012